(57)【特許請求の範囲】
【請求項１】
インキまたは塗布液等の液体を内蔵するとともに筒状の解放部を備えた軸筒本体と、該軸筒本体の該解放部に固着されたチップと、該チップの内部に一部が外方に突出して回転自在に抱持されたローラーと、且つ、該ローラーの外側端部に当接し、一部が外方に突出して回転自在に抱持されたボールとを備え、且つ、該インキまたは該塗布液等の液体を該ローラー及び／または該ボールに伝達して該ローラー及び／または該ボールの回転及び／または変位により、筆記または塗布する筆記具または塗布具において、前記ローラーは外表面が耐摩耗性及び耐腐食性を向上させる表面処理を施し、前記ローラーは、パイプ状の中空体からなり、且つ、前記ローラーの外側端部に前記ボールを当接するため、前記ローラーの端部に、テーパー状の受座を形成させたことを特徴とする筆記具または塗布具用ローラー。
【請求項２】
前記ローラーの外表面と前記受座とが交わってできる稜線は、シャープエッジを形成させたことを特徴とする請求項１記載の筆記具または塗布具用ローラー。
【請求項３】
前記受座は、フッ素系樹脂の被膜またはメッキ層を表面に形成させたことを特徴とする請求項１記載の筆記具または塗布具用ローラー。
【発明の詳細な説明】
【０００１】
【発明の属する技術分野】
本発明は、チップホルダーの先端部にローラーを配設したチップを軸筒本体の解放部に固着した筆記具または塗布具であって、そのローラーの改良に関するものであり、耐摩耗性、耐腐食性に優れるとともに、潤滑性の高い筆記具または塗布具用ローラーに関するものである。
【０００２】
【従来の技術】
従来より、チップホルダーの先端部にローラーを配設したチップを軸筒本体の解放部に固着し、軸筒本体に内蔵したインキ、修正液、糊、あるいは塗料等をローラーに伝達してその回転及び／または変位によって筆記または塗布を行う筆記具または塗布具が提案されている。即ち、ローラーの回転により、滑らかな描き心地と広幅の筆跡または塗布面を得られるようにローラーの外表面が直接に被筆記面または被塗布面に接触し、回転することで太い線の筆記または塗布を行うことができるものであり、使い勝手としては、広い面を一気に描いたり塗ったりする場合に応用されている。
【０００３】
しかし、上記従来の筆記具または塗布具では、太い線の筆記または塗布はできるものの細い線の筆記または塗布ができないという欠点があった。そこで、本発明者の一方は、上述した筆記具または塗布具の欠点を解消すべく、幅の広い筆跡または塗布面とは別に、幅の狭い筆跡または塗布面をも併用して得ることができるように、ローラーの両端にボールを保持する受座を設け、その受座にボールを当接させ、ローラー及びボールをチップホルダーの先端に回転自在に抱持したものを提案した。（特願平７−７０８６３号、特願平７−７４５６１号）
【０００４】
しかしながら、上記前者のような従来技術のローラーをチップホルダーの先端に配設した筆記具または塗布具に関しては、ローラーに成形し易い材料として一般的に樹脂材が使用されるが、樹脂材では硬度が低く耐摩耗性について不充分なため、ローラーの損傷が激しい。即ち、筆記（または塗布）の際にローラーの外表面を紙面等に押しつけ、ローラーの回転や変位を行いながら移動させるため、ローラーと紙面との摩擦、及びローラーとチップホルダーとの摩擦でローラーが摩耗して、ローラーの回転不円滑やインキ（または塗布液）の液漏れという問題が発生する場合があった。
【０００５】
また、上記後者のような従来技術のローラーの両端にボールを当接させ、それらをチップホルダーの先端に配設した筆記具または塗布具に関しては、同様にしてローラーには樹脂材を使用し、ボールの方は、例えばボールペン等で通常使われる耐摩耗性のある超硬合金材を使用すると、ローラーの外表面は同じように摩耗するが、それとは別にローラーの外側端部にボールを当接するとともに保持する受座もまた、ローラーとボールの回転によって擦られるため、摩耗してくる。このため、摩耗によるローラーの回転不円滑、あるいはインキ（または塗布液）の液漏れという問題があり、長距離筆記時あるいは長塗布時においても潤滑性を維持し、筆跡または塗布面に濃淡や液切れのない筆記具または塗布具用ローラーの開発が望まれていた。
【０００６】
【発明が解決しようとする課題】
筆記時（または塗布時）に於いて、この問題を解消するためローラーを、例えば真鍮を使用した場合においては、切削加工性に優れコストが安価であるという良い点もあるが、しかし耐摩耗性及び耐腐食性についての問題は残る。真鍮の他に、軸受鋼または炭素鋼、あるいは洋白、アルミ合金等の金属材を使用することも考えられるが、同じような問題を有している。
そこで、耐腐食性の優れたステンレス鋼の材料でローラーを形成させれば良いと考えるが、しかし筆記（または塗布）の際は、被筆記面との摩耗の他にローラーを紙等の被筆記面に押しつけて回転させるため、ローラーは、チップホルダーの内部に設けたローラーを受ける座部と擦られたり、あるいはローラーを抱持するチップホルダーの先端部の内面と擦られたりするため、長期間使用すると徐々にローラーが摩耗し、ローラーが変形してローラーの回転に支障をきたす場合がある。これが原因で、インキ漏れを起こしたりするといった点でも難を有している。
また、ローラーの両端にボールを保持した構造の筆記具（または塗布具）については、ローラーにステンレス鋼を使用し、ボールに超硬合金を採用すると、各々の材質では単体でインキ（または塗布液）等に対して良好な耐腐食性を示すものの、組み合わせて使用する場合にはローラーとボールが接触することで電気的に接続されて、両者間に電池が構成された時に生じる異種金属接触腐食を起こして、筆記性能（または塗布性能）を下げるという問題がある。またボールに鋼材を使用した場合は、インキ（または塗布液）等でボール表面に錆等の腐食を起こし、腐食によるボール表面の凹凸でローラーを摩耗させたりする。
【０００７】
上記に示した金属材以外のものとして、ローラーに耐摩耗性の高い材料よりなるもの、例えば超硬合金を使用することも考えられるが、超硬合金は材質としては優れているが、部品コストでは高くなってしまい経済的な問題を抱えているため実用上では不向きであった。
【０００８】
次に非筆記時（または非塗布時）に於いて、通常、筆記具（または塗布具）は、チップの先端を下方にした状態でもインキ漏れ、インキ垂れ下がり等が起こらないようなチップ構造になっているものであるが、特にローラーの両端に受座を設け、その受座にボールを当接して、ローラー及びボールをチップホルダーの先端に回転自在に抱持した筆記具（または塗布具）については、チップホルダーの先端とローラー及びボールとは性能上で問題にならない程度に気密が保つようにされている。しかしながら、ローラー及びボールがチップホルダーの先端より外方に突出し始め、且つローラーとボールが当接してできる交差部分に、インキの粘度及び表面張力等により、あるいはインキの乾燥後の残留物で塞ぐことができない程の隙間が生じた場合には、インキ漏れ、インキ垂れ下がり等の問題が発生するようになる。通常、この隙間は、インキ等の残留物でシールされるが、筆記の際にはローラーまたはボールの回転によって残留物が剥離される。
尚、この隙間の発生は、ローラーの両端に設けた受座とボールとが接触し回転する際に、受座が摩耗してできる場合が多い。
【０００９】
しかもこのような隙間が生じると、筆記（または塗布）に際し、インキ（または塗布液）がローラーから被筆記面（または被塗布面）へ転写あるいは浸透する時に、ローラーとボールが当接し、且つローラーとボールがチップホルダーより突出している外輪郭部にインキの一部が残り易くなり、所謂ボテが発生する。
このボテとは、被筆記面にインキが転写されずに残った余分なインキが上記のチップホルダーの隙間に溜まり、被筆記面にボタ落ち等を起こす現象をいう。
【００１０】
また、ボールと当接するローラーの受座の面粗度が荒い場合などは、摩擦係数が大きいためローラーとボールは、滑らかな回転が得られにくい。このため筆跡にかすれを生じたり、耳障りな音が発生し易くなるという問題が起こる。
【００１１】
本発明は、上記の事情に鑑みてなされたものであって、その目的は、主に筆記具または塗布具用のローラーの改良であって、ローラーの外表面を耐摩耗性及び耐腐食性について向上させ、ローラーの損傷を少なくし、長距離筆記時あるいは長距離塗布時においても良好な潤滑性を維持して、筆跡または塗布面に濃淡や液切れのない性能の高い筆記具または塗布具用ローラーを提供することである。
【００１２】
【課題を解決するための手段】
本発明者は、上記に詳述した問題点を解決させるために、本発明は次のような構成を有する。即ち、請求項１の発明は、インキまたは塗布液等の液体を内蔵するとともに筒状の解放部を備えた軸筒本体と、該軸筒本体の該解放部に固着されたチップと、該チップの内部に一部が外方に突出して回転自在に抱持されたローラーと、且つ、該ローラーの外側端部に当接し、一部が外方に突出して回転自在に抱持されたボールとを備え、且つ、インキまたは塗布液等の液体を該ローラー及び／または該ボールに伝達して該ローラー及び／または該ボールの回転及び／または変位により、筆記または塗布する筆記具または塗布具において、前記ローラーは外表面が耐摩耗性及び耐腐食性を向上させる表面処理を施し、前記ローラーは、パイプ状の中空体からなり、且つ、前記ローラーの外側端部に前記ボールを当接するため、前記ローラーの端部に、テーパー状の受座を形成させたことを特徴としている。
【００１３】
また、請求項２の発明は、請求項１の発明に於いて、前記ローラーの外表面と前記受座とが交わってできる稜線はシャープエッジを形成させたことを特徴としている。
【００１４】
また、請求項３の発明は、請求項１の発明に於いて、前記受座は、フッ素系樹脂の被膜またはメッキ層を表面に形成させたことを特徴としている。
【００２０】
【発明の実施の形態】
次に、発明の実施の形態について図面を参照して説明するが、本発明はこれらに限定されるものではない。実施の形態中、同じ部材、同じ箇所を指す場合は、同じ番号を付してある。
【００２１】
本発明に係る筆記具または塗布具用ローラーの第１実施の形態について、図１乃至図２に基づき説明する。
第１実施の形態
図１は、本発明に係る筆記具または塗布具用ローラーの、チップ部分の略断面図である。
筆記具Ａはチップ１と軸筒本体４を主たる部材として構成されている。図１において、インキ５の液体を内蔵するとともに筒状の解放部４ａを備えた軸筒本体４は一体の筒体でインキの蒸発を抑制する樹脂材で成形され、解放部４ａにチップ１が固着されている。
チップ１は、真鍮材で形成したチップホルダー３と筆記用のローラー２とからなり、チップ１の先端にはローラー２が回転自在に抱持されている。
図２は、図１におけるＩ−Ｉ線部の断面矢視図であるが、チップホルダー３の内部には、ローラー２を入れるためのローラー保持室３ａと、筆記時に於いて紙面等にローラー２を押圧する際、ローラー２がチップホルダー３の内部に入り込むのを抑制するための座部３ｃが配設されており、またチップホルダー３の先端には、ローラー２の一部が外方に突出されるように抑制する先端部３ｂが設けてある。尚、チップホルダー３の材質については、真鍮材の他にステンレス鋼等の金属、あるいは金属以外のものとして樹脂材等で射出成形より作られたものであってもよい。
また、低粘度インキを使用する筆記具については、インキ５がチップ１の先端より漏れないようにチップホルダー３内にスプリングを設け（図示せず）、このスプリングでローラー２を弾発し、チップホルダー３の先端部３ｂの内面にローラー２を密着させ弁機構を構成してもよい。
【００２２】
ローラー２は、本発明に係る主要な部分でり、素材２ｂは、ステンレス鋼の材料を使用し、寸法が外径０．９５ｍｍで長さ４ｍｍの円柱状のロッドのものであるが、このローラー２の形状は、円柱状のロッドでなくても中空のパイプ状のものであってもよく、同様の作用を発揮できる。尚、ローラー２はステンレス鋼で作られているが、材質としてステンレス鋼の他に、軸受鋼または炭素鋼、あるいは洋白、真鍮、アルミ合金等の金属材を使用してもよく、また金属以外の他の材質として、インキによる腐食されない樹脂等を使用し形成させてもよい。
【００２３】
図３はローラー２の部分断面を示すものであり、素材２ｂの外表面２ａにはＴｉＮ被膜６が形成されている。
尚、ローラー２の外表面２ａを、耐摩耗性及び耐腐食性のある表面に形成させる場合は、上記に上述した以外に、メッキ処理を施し外表面をＮｉ、Ｃｒあるいはこれらを含む合金層で形成させることもできるし、またイオン窒化処理を施し外表面をＦｅ２−３ＮまたはＦｅ４Ｎを基にした化合層で形成させることもできる。
【００２４】
次にローラー２の製作過程を簡単に述べる。
ローラー２の素材として、寸法が外径０．９５ｍｍで長さ６００ｍｍのステンレス鋼のロッドを使用し、所定の長さ４ｍｍに切断する。切断により発生するバリについては極力少なくさせるようにし、最終的にはバレル処理で削除する。尚、ローラー２の外表面２ａの面粗度を極力細かくするため、予めローラー２の素材２ｂを化学研磨、ラッピング、またはバフ掛け等の加工を施しても良い。
次に、外表面２ａ及び端面２ｄに化学蒸着法でＴｉＮの被膜を３μｍ形成させる。通常、ステンレス鋼の表面硬度は３５０Ｈｖ程度であるが、ＴｉＮの被膜を形成した状態のローラー表面２ｃをマイクロ硬度計で測定したところ、２３００Ｈｖが得られた。この後、ローラー表面２ｃを鏡面仕上げにさせるため、ダイヤモンドパウダーで琢磨させて仕上げる。
尚、ローラー表面２ｃを鏡面仕上げにさせずに、インキ５との親和性を良好にするため、ローラー表面２ｃをローラー２の回転を妨げない範囲内で梨地面にさせてもよい。
上述したステンレス鋼のロッドを切断して、ローラー２の素材を作成する工程を、外表面２ａに化学蒸着法でＴｉＮの被膜を形成させた後にしてもよい。この時、切断により発生するカエリ及びバリ等がローラー２の外表面２ａに形成されたＴｉＮ被膜１６によって極力小さくなるという効果があるが、場合によってローラー２の端面２ｄには後加工が必要になることもある。
【００２５】
ここで、本発明の実施の形態の筆記具または塗布具用ローラーの基本的な作用について説明する。上記の製作過程で仕上がったローラー２をチップホルダー３に組み込んだチップ１を、軸筒本体４に固着してある筆記具Ａでは、筆記の際にチップ１の先端を下方にすると、インキ５がチップホルダー３に流れ込み、ローラー保持室３ａがインキ５で満たされる。筆記時は、筆記軸（図示せず）を手で持ち、まず紙面にローラー２を押し当てると、ローラー２はチップホルダー３内で変位を起こし座部３ｃに当接する。この状態でローラー２を回転させながら移動すると、ローラー保持室３ａのインキ５がローラー表面２ｃより紙面に転写し、目的とする広幅の線を描くことができる。
【００２６】
即ち、本発明の筆記具または塗布具用ローラーは、ローラー２の外表面２ａにＴｉＮ被膜６が形成されているため、ローラー２がチップホルダー３内の座部３ｃ、あるいはチップホルダー３の先端部３ｂの内面に当接しながら回転する際、摩擦による抵抗が小さいため常にローラーが円滑に回転し、筆跡または塗布面に濃淡や液切れのないものを得ることができるものである。
【００２７】
さて、本発明の筆記具または塗布具用ローラーの効果を確認するため、被筆記面として硬度のあるコンクリート上で長距離の筆記性能を試してみたが、コンクリート上でも常に潤滑性を維持し、問題なく太い線を描くことができた。また、ローラー２のローラー表面２ｃを観察したところ、摩耗あるいはキズ等による損傷が全く生じていなかった。
【００２８】
次に本発明に係る筆記具または塗布具用ローラーの第２実施の形態を図４乃至図８について説明する。
第２実施の形態
図４は、本発明に係る筆記具または塗布具用ローラーの、チップ部分の略断面図である。
筆記具Ｂはチップ１０と軸筒本体１４を主たる部材として構成されている。図４において、インキ１５の液体を内蔵するとともに筒状の解放部１４ａを備えた軸筒本体１４は一体の筒体でインキの蒸発を抑制する樹脂材で成形され、解放部１４ａにチップ１０が固着されている。チップ１０は、チップホルダー１３と、中心に孔の開いたパイプ状の中空体であるとともに両端部が中心方向へ向かってテーパー状の受座１１ｄを形成させた筆記用のローラー１１と、ローラー１１の受座１１ｄに当接させた筆記用のボール１２と、ローラー１１及びボール１２をチップホルダー１３の先端部１３ｂの内面に弾発させるスプリング１８とで構成され、チップ１０の先端に一部が外方に突出し、且つローラー１１及びボール１２が回転自在に抱持されている。尚、上記スプリング１８については、内蔵するインキ１５の種類により省略してもよい。
それから、図５に示すようにローラー１１の両端縁である稜線１１ｅは、シャープエッジが形成され、ローラー１１の受座１１ｄにボール１２を当接した時、ボール１２の面とローラー１１の稜線１１ｅは密着する。図６は、ローラー１１の両端にボール１２が当接し保持され、チップ１０の先端にこれらが回転自在に抱持された状態を示すものであり、チップ１０を真上から見た説明図である。
【００２９】
尚、ボール１２は球１．０ｍｍの超硬合金からなり、ローラー１１は、ステンレス鋼のパイプ材を使用し、寸法が外径０．９５ｍｍ、内径０．６ｍｍで長さ３ｍｍの中空状のもので作られている。尚、ローラー１１はステンレス鋼で作られているが、材質としてステンレス鋼の他に、軸受鋼または炭素鋼、あるいは洋白、真鍮、アルミ合金等の金属材を使用してもよく、また金属以外の他の材質として、インキによる腐食されない樹脂等を使用し形成させてもよい。
【００３０】
図７はローラー１１の断面を示すものであり、素材１１ｂの外表面１１ａにはＴｉＮ被膜１６が形成されている。
尚、ローラー１１の外表面１１ａを、耐摩耗性及び耐腐食性のある表面に形成させる場合は、上記に上述した以外に、メッキ処理を施し、外表面をＮｉ、Ｃｒあるいはこれらを含む合金層で形成させることもできるし、またイオン窒化処理を施し、外表面をＦｅ２−３ＮまたはＦｅ４Ｎを基にした化合層で形成させることもできる。
【００３１】
また、ローラー１１の両端部の受座１１ｄの表面には、フッ素系樹脂の被膜１７が形成されている（図８に示す）。このフッ素系樹脂の被膜１７により、ローラー１１とボール１２とが擦られる際、受座１１ｄとボール１２との接触する部分の潤滑性をよくし、且つ受座１１ｄの摩耗を少なくさせることができる。尚、この受座１１ｄの表面には、メッキ層（図示せず）を形成させてもよい。
【００３２】
次にローラー１１の製作過程を簡単に述べる。
ローラー１１の素材は、ステンレス鋼を引き抜き加工または押し出し加工により製作された寸法が外径０．９５ｍｍ、内径０．６ｍｍで長さ６００ｍｍのパイプ材を使用した。ステンレスパイプ材は、小物でも比較的に寸法精度の高いものを安価に得られ、防錆にも優れるという利点がある。尚、後加工として、ローラー１１の外表面１１ａの面粗度を極力細かくするため、予めローラー１１の素材１１ｂを化学研磨、ラッピング、またはバフ掛け等の加工を施しても良い。
【００３３】
従来ならローラー１１の製作は、ロッド材を切削加工するのが普通であるが、ローラー１１の寸法が小さく、殊にステンレス鋼のようなものの場合は、加工が困難で工具が折損し易く、大量生産には適さなかった。このことから大量生産に適し、製作費を安くすることができ製品を廉価に供給することができるものとして、手軽に購入可能なパイプ材を使用することにいたった。尚、材質としてステンレス鋼の他に、軸受鋼または炭素鋼、あるいは洋白、真鍮、アルミ合金等の金属材を使用してもよく、また金属材に拘らず樹脂材等を使用してもよい。
【００３４】
次に素材１１ｂの外表面１１ａを化学蒸着法でＴｉＮ被膜１６を３μｍ形成させる。この後、パイプ材を所定の長さ３ｍｍに切断するが、切断する際、パイプ材の表面に形成されたＴｉＮ被膜１６が補強材となり、パイプ材のカエリ及びバリ等の発生を極力少なくさせることができる。それから、切断された全長３ｍｍのローラー１１の両端のボール１２と当接する受座１１ｄを切削加工する。この時、加工上においてパイプ材の利点として、工作機械等にローラー１１を取り付ける際、簡単に軸方向の芯合わせを行うことができ、また素材が中空であるため受座１１ｄを切削する場合でも難加工である中心部の切削をしないですむため、短時間で加工することができ、加工面についても綺麗に仕上げることができる。尚、前工程でローラー１１にＴｉＮ被膜１６が形成されていると、後加工におけるハンドリング時、あるいは組立工程時にローラーの外表面１１ａにキズ等の損傷を防ぐ効果がある。
【００３５】
次に、ローラー１１の両端に形成させた受座１１ｄの表面に、ボール１２と当接する部分の不潤滑及び摩耗を少なくするために、フッ素系樹脂の被膜１７を３μｍを形成する。フッ素系樹脂の被膜１７を形成する他にメッキ層を表面に形成させてもよい。最後に、ローラー表面１１ｃを鏡面仕上げにさせるため、ダイヤモンドパウダーで琢磨させて仕上げる。
尚、ローラー表面１１ｃを鏡面仕上げにさせずに、インキ１５との親和性を良好にするため、ローラー表面１１ｃをローラー１１の回転を妨げない範囲内で梨地面にさせてもよい。
【００３６】
ここで、本発明の実施の形態の筆記具または塗布具用ローラーの基本的な作用について説明する。上記の製作過程で仕上がったローラー１１をチップホルダー１３に組み込んだチップ１０を、軸筒本体１４に固着してある筆記具Ｂでは、筆記の際にチップ１０の先端を下方にすると、インキ１５がチップホルダー１３に流れ込み、ローラー保持室１３ａがインキ１５で満たされる。筆記時は、筆記軸（図示せず）を手で持ち、まず紙面にローラー１１を押しつけると、ローラー１１はスプリング１８の弾性力に抗してチップホルダー１３内で変位を起こし座部１３ｃに当接する。この状態でローラー１１を回転させながら移動すると、ローラー保持室１３ａのインキ１５がローラー表面１１ｃより紙面に転写し、目的とする太い線を描くことができる。また、紙面に細い線を描く場合にはボール１２を紙面に押し当て、ボール１２を回転させインキ１５を紙面に転写させる。
非筆記時は、ローラー１１またはボール１２を紙面から離すと、チップホルダー１３内に設けてあるスプリング１８の弾性により、ローラー１１及びボール１２はチップホルダー１３の先端部１３ｂの内面に接触し密着状態になり、インキの乾燥やインキの洩れを防止する。
【００３７】
本発明の筆記具または塗布具用ローラーの効果を確認するため、被筆記面として硬度のあるコンクリート上で長距離の筆記性能を試してみたが、コンクリート上でも常に潤滑性を維持し、問題なく太い線及び細い線を描くことができた。また、ローラー２のローラー表面２ｃを観察したところ、摩耗あるいはキズ等による損傷が全く生じていなかった。
【００３８】
本発明の筆記具または塗布具用ローラーは、ローラー１１の外表面１１ａにＴｉＮ被膜１６が形成されているため、ローラー１１がチップホルダー１３内の座部１３ｃ、あるいはチップホルダー１３の先端部１３ｂの内面に当接しながら回転する際、摩擦による抵抗が小さいため常にローラー１１が円滑に回転し、筆跡または塗布面に濃淡や液切れのないものを得ることができる。
【００３９】
【発明の効果】
本発明は上述の発明の実施の形態の如き方法から成るものであり、本発明にかかる筆記具または塗布具用ローラーによれば、ローラーの外表面に耐摩耗性及び耐腐食性のある被膜を形成させることにより、ローラーの材質に拘らずに外表面の摩耗を極力少なくでき、且つインキ及び塗布液等による腐食を防ぐことができる。即ちローラーの損傷を少なくし、長距離筆記時あるいは長塗布時においても潤滑性を維持し、常にローラーが円滑に回転し、筆跡または塗布面に濃淡や液切れのない筆記具または塗布具用ローラーを提供できる。
また、その加工においても生産性の高いものであって、大量生産に適したローラーを製造することができる。
【図面の簡単な説明】
【図１】本発明に係る筆記具または塗布具用ローラーの、チップ部分の略断面図である。
【図２】図１における、Ｉ−Ｉ線部の断面矢視図である。
【図３】本発明に係る筆記具または塗布具用ローラーの、ローラー部分の断面図である。
【図４】本発明に係る別の筆記具または塗布具用ローラーの、チップ部分の略断面図である。
【図５】ローラーの両端にボールを当接した状態を示す略断面拡大図である。
【図６】ローラーの両端にボールを当接し保持され、チップホルダーに回転自在に抱持された状態を示すチップ部分の上面説明図である。
【図７】本発明に係る別の筆記具または塗布具用ローラーの、ローラーの断面図である。
【図８】ローラーの両端部の受座の表面に、フッ素系樹脂の被膜が形成された状態を示す斜視図である。
【符号の説明】
Ａ    筆記具
１  チップ
２  ローラー
２ａ  外表面
２ｂ  素材
２ｃ  ローラー表面
２ｄ  端面
３  チップホルダー
３ａ  ローラー保持室
３ｂ  先端部
３ｃ  座部
４  軸筒本体
４ａ  解放部
５  インキ
６  ＴｉＮ被膜
Ｂ  筆記具
１０  チップ
１１  ローラー
１１ａ  外表面
１１ｂ  素材
１１ｃ  ローラー表面
１１ｄ  受座
１１ｅ  稜線
１２  ボール
１３  チップホルダー
１３ａ  ローラー保持室
１３ｂ  先端部
１３ｃ  座部
１４  軸筒本体
１４ａ  解放部
１５  インキ
１６  ＴｉＮ被膜
１７  フッ素系樹脂の薄膜
１８  スプリング
【図１】
0003794750.tif 000002
【図２】
0003794750.tif 000003
【図３】
0003794750.tif 000004
【図４】
0003794750.tif 000005
【図５】
0003794750.tif 000006
【図６】
0003794750.tif 000007
【図７】
0003794750.tif 000008
【図８】
0003794750.tif 000009